(57)【要約】【課題】  内部からの空気漏れを防止して異音を抑え、低い帯域においてもオーディオ信号の音圧低下の改善が可能な電磁変換器を提供する。【解決手段】  以下の１）〜６）を備えた電磁変換器１０。１）多極着磁パターンが形成された下側永久磁石板１１。２）下側永久磁石板１１に、緩衝部材１３を介して対向配置された振動膜１５。３）振動膜１５に緩衝部材１３を介して対向配置された上側永久磁石板１７。４）これら１）〜３）を重ねた構造体２０を覆うフレーム３０。５）背面フレーム３１の下側に取り付けられ、構造体２０と電気的に接続された入力端子３５。６）背面フレーム３１と入力端子３５との境目Ａの外側の周囲を覆う第一のシーリング材４０ａ。また、入力端子３５のカシメ部３５ｂにおける、突出しない一端３５ｅを覆う第二のシーリング材４０ｂ。【選択図】        図２
2006352573.tif 000002
【特許請求の範囲】
【請求項１】
１）帯状の異なる磁極が一定の間隔をおいて交互に形成された永久磁石板と、
２）上記永久磁石板に対向配置され、かつ上記永久磁石板の上記異なる磁極同士の間隙部分に対向する位置に、蛇行形状の導体パターンからなるコイルを全面に形成した振動膜と、
３）上記永久磁石板と上記振動膜との間に配置された緩衝部材と、
４）上記１）〜３）を重ねた構造体を覆うフレームと、
５）上記フレームに取り付けられ、上記構造体と電気的に接続された入力端子と、
６）上記フレームと上記入力端子との境目の外側の周囲を覆う第一のシーリング材と
を備えた電磁変換器。
【請求項２】
第一のシーリング材を、発泡樹脂材としたことを特徴とする、請求項１記載の電磁変換器。
【請求項３】
第一のシーリング材を、シリコーンゴムとしたことを特徴とする、請求項１記載の電磁変換器。
【請求項４】
入力端子は、入力端子板と、該入力端子板を貫通して設けられた、中空の柱状であるカシメ部とを備え、該カシメ部は、その突出した一端が上記フレームに接続され、もう一方の突出しない一端は、これを覆う第二のシーリング材を備えたことを特徴とする、請求項１記載の電磁変換器。
【請求項５】
第二のシーリング材を、発泡樹脂材としたことを特徴とする、請求項４記載の電磁変換器。
【請求項６】
第二のシーリング材を、シリコーンゴムとしたことを特徴とする、請求項４記載の電磁変換器。
【発明の詳細な説明】
【技術分野】
【０００１】
この発明は、例えばオーディオ信号を再生する電磁変換器に関するものである。
【背景技術】
【０００２】
永久磁石と振動膜とを組み合わせた電磁変換器については、様々な技術が提案されている。この種の電磁変換器は、通常、永久磁石板と、その永久磁石板に対向するように配置した振動膜と、これら永久磁石板と振動膜との間に配置された緩衝部材とを備えている。永久磁石板は、帯状の異なる磁極が一定の間隔を置いて交互に形成されたものである（以下、この平行縞状の着磁パターンを多極着磁パターンともいう。）。また、振動膜は多極着磁パターンの形成面と対向配置され、異なる磁極同士の間隙部分の、いわゆる着磁のニュートラルゾーンと称される部分に対向する位置に、蛇行形状の導体パターンからなるコイルが全面に形成されている。上述の永久磁石板の、帯状の異なる磁極同士の間隙部分には、発生した音波を外部に放出するための音放射穴が、一定のピッチで複数形成されている（特許文献１）。
【０００３】
上述の永久磁石板、振動膜、緩衝部材を重ねた構造体は、例えば上述の構造体の下側に敷かれる板状の背面フレームと、上述の構造体の上側および周囲を覆う前面フレームとを張り合わせて構成されるフレームに覆われる。また、電磁変換器の背面となる、上述の板状の背面フレームの下側に、上述の構造体と電気的に接続された入力端子が設けられている。以上のようにして構成された電磁変換器は、例えばスピーカ等の音響装置用の筐体に取り付けられ、オーディオ信号を再生する音響装置として用いられる。
【０００４】
【特許文献１】特開平９−３３１５９６号公報
【発明の開示】
【発明が解決しようとする課題】
【０００５】
従来の電磁変換器は以上のように構成されているため、フレームと、この下側に設置される入力端子との間にわずかな隙間が存在する。したがって、電磁変換器内部から生じた音波（空気）が上述の隙間部分から外部に漏れてしまい、電磁変換器に異音が発生したり、音圧が低下したりする原因となっていた。  このような音圧の低下は、周波数の低い帯域（ここでは２００Ｈｚ以下の帯域を指す。）であるほど音波の直進性が低いため、より顕著に見られる。
また、電磁変換器をスピーカ筐体等に取り付けることにより音響装置を構成し、動作させた際に、音響装置のスピーカ部分における振動の振幅による音波の影響を受けるため、異音の発生、音圧の低下がより顕著に見られる。これは、上述の空気漏れにより外部に漏れた空気（音波）が、本来の音放射穴から放射された音波に干渉し、打ち消しすことにより、音圧の低下をもたらすものである。
したがって、電磁変換器に異音が発生したり、音圧が低下したりすることを避けられないという課題があった。
【０００６】
この発明は、上記のような課題を解決するためになされたものであり、電磁変換器内部からの空気漏れを防止して異音を抑え、低い帯域においてもオーディオ信号の音圧低下を改善させることが可能な電磁変換器を得ることを目的とする。また、電磁変換器を用いて音響装置を構成した場合にも、異音の発生や音圧の低下を抑え、本来の音圧レベルを保つことが可能な電磁変換器を得ることを目的とする。
【課題を解決するための手段】
【０００７】
この発明に係る電磁変換器は、以下の１）〜６）を備えたものである。
１）帯状の異なる磁極が一定の間隔をおいて交互に形成された永久磁石板。
２）永久磁石板に対向配置され、かつ永久磁石板の異なる磁極同士の間隙部分に対向する位置に、蛇行形状の導体パターンからなるコイルを全面に形成した振動膜。
３）永久磁石板と振動膜との間に配置された緩衝部材。
４）上述の１）〜３）を重ねた構造体を覆うフレーム。
５）フレームに取り付けられ、上述の構造体と電気的に接続された入力端子。
６）フレームと入力端子との境目の外側の周囲を覆う第一のシーリング材。
【発明の効果】
【０００８】
この発明によれば、永久磁石板と振動膜と緩衝部材とを重ねた構造体を覆うフレームと、このフレームに取り付けられた入力端子との境目の外側の周囲を覆う第一のシーリング材を備えて電磁変換器を構成したので、電磁変換器内部から生じた音波（空気）が上述の境目の隙間を介して外部に漏れることを防止する。このため、異音を抑え、低い帯域においても音圧の低下を抑えることが可能な電磁変換器が得られるという効果がある。
また、電磁変換器を用いて音響装置を構成した場合においても、電磁変換器のオーディオ信号の音圧低下を改善させることができ、本来の音圧レベルを保つことが可能な電磁変換器が得られるという効果がある。
【発明を実施するための最良の形態】
【０００９】
以下、この発明の実施の様々な形態について説明する。
実施の形態１．
図１は、この発明の実施の形態１による、電磁変換器の構成を説明するための分解斜視図である。図２はこの発明の実施の形態１による電磁変換器の概略的な断面図であり、音放射穴を含む部分で切断して示してある。なお、断面を示すハッチングは一部省略してある。
ここでは、一枚の振動板を二枚の永久磁石板により、緩衝部材を介して上下から挟むような構成となっている。また、ここでは、音波を外部に放射するための音放射穴が形成されている永久磁石板を上側永久磁石板と称し、上側永久磁石板と振動膜を介して対向する永久磁石板を、下側永久磁石板と便宜的に称する。
【００１０】
図において、下側永久磁石板１１は、後述する振動膜１３に対向する面のほぼ全面に焼結フェライト磁石からなる帯状の異なる磁極（Ｎ極、Ｓ極）が一定の間隔をおいて交互に形成されている（以下、この平行縞状の着磁パターンを、多極着磁パターンともいう。）。異なる磁極（Ｎ極、Ｓ極）同士の間隙に、いわゆる着磁のニュートラルゾーンｎｚが存在する。
【００１１】
下側永久磁石板１１の上側の、多極着磁パターンが形成されている面と対向する位置には、緩衝部材１３を介して振動膜１５が配置されている。振動膜１５は、薄く柔軟な樹脂フィルム１５ａの全面に、蛇行形状の導体パターンからなるコイル（以下、蛇行コイルパターンともいう。）１５ｂが形成されたものである。蛇行コイルパターン１５ｂの長手方向の直線部分のそれぞれは、下側永久磁石板１１の異なる磁極（Ｎ極、Ｓ極）同士の間隙部分の、ニュートラルゾーンｎｚに対応する位置となるように設けられている。直線部分とは、ここではコイル１５ｂのうち、一定の間隔を持って互いに平行に配置されている、長い直線部分のことを指す。
振動膜１５の上側には、緩衝部材１３を挟んで、振動膜１５に対向する面のほぼ全面に焼結フェライト磁石からなる帯状の多極着磁パターンが形成された上側永久磁石板１７が配置されている。上側永久磁石板１７には、多極着磁パターンの異なる磁極（Ｎ極、Ｓ極）同士の間隙のニュートラルゾーンｎｚに沿って、一定のピッチで音放射穴１７ａが設けられている。
【００１２】
以上の下側永久磁石板１１、緩衝部材１３、振動板１５、上側永久磁石板１７が重ねられた構造体２０の下側に、この構造体２０を載置した板状の背面フレーム３１と、構造体２０の上側および周囲を覆う前面フレーム３３とを張り合わせることにより、フレーム３０が構成されている。このフレーム３０の、前面フレーム３３における、構造体２０の上側を覆う部分の、音放射穴１７ａが形成された位置に対応して、音放射穴３３ａが設けられている。
背面フレーム３１の下側には、入力端子３５が構造体２０に電気的に接続され、設けられている。具体的には、入力端子３５は、その中心に備えられたカシメ部３５ｂと、カシメ部３５ｂの両側の補助具３５ｃとを背面フレーム３１に固定し、かしめて取り付けられている。カシメ部３５ｂは、中空の柱状（ここでは四角柱形状）であり、その突出した一端３５ｄは、背面フレーム３１に接続されている。また、もう一方の突出しない一端３５ｅが、フレーム３０とは反対側に開口している。
フレーム３０の、背面フレーム３１と入力端子３５との境目Ａには、わずかな隙間が存在する。この境目Ａの隙間を塞ぐように、背面フレーム３１と入力端子３５との境目Ａの外側の周囲を、第一のシーリング材４０ａが覆うように設けられている。また、カシメ部３５ｂの、突出しない一端３５ｅも、第二のシーリング材４０ｂにより覆われている。
【００１３】
第一および第二のシーリング材４０ａおよび４０ｂとして、ここではテープ状の発泡樹脂材を用いた。発泡樹脂材は、圧縮することにより優れた気密性が得られる材料である。自由に曲げることができるため、フレーム形状に合わせて貼り付けることも可能であり、シーリング材として好適である。また、ここで用いたテープ状の発泡樹脂材は、片面に接着用の両面テープが貼り付けてあるものであり、作業性が良い。
【００１４】
次に動作について説明する。
入力端子３５より信号が入力され、振動膜１５の表面に形成されている蛇行コイルパターン１５ｂに、オーディオ信号としての電流が流れると、その蛇行コイルパターン１５ｂと、これに対向配置された下側および上側の永久磁石板１１および１７における多極着磁パターンとが電磁的に結合し、フレミングの左手の法則にしたがって振動膜１５が厚み方向に振動し、この振動により発生した音波が音放射穴１５ａおよび３３ａを介して空気中に放射される。
このとき、第一のシーリング材４０ａによって、電磁変換器１０の内部から生じた振動による音波（空気）がフレーム３０における背面フレーム３１と入力端子３５との隙間を介して外部に漏れることを防ぐ。また、同様に第二のシーリング材４０ｂによって、同様に電磁変換器１０の内部から生じた音波（空気）がカシメ部３５ｂの、突出しない一端３５ｅを介して外部に漏れることを防ぐ。
【００１５】
以上のように、この発明の実施の形態１の電磁変換器１０によれば、フレーム３０における、背面フレーム３１と、入力端子３５との境目部分の外側の周囲を覆う第一のシーリング材４０ａを備えているので、電磁変換器１０内部から生じた音波（空気）が境目Ａの隙間を介して外部に漏れることを防止する。このため、電磁変換器１０に異音が発生するのを抑え、低い帯域においてもオーディオ信号の音圧が低下するのを防ぐことができる。また、電磁変換器をスピーカ筐体等に取り付けることにより音響装置を構成した場合においても、音圧の低下を防ぐことができ、電磁変換器本来の音圧レベルを保つことができる。
【００１６】
また、入力端子３５におけるカシメ部３５ｂの、突出しない一端３５ｅを覆うように第二のシーリング材４０ｂを備えているので、第一のシーリング材４０ａと同様に、電磁変換器１０内部からの空気がカシメ部３５ｂの、突出しない一端３５ｅを介して外部に漏れることを防止する。このため、電磁変換器１０に異音が発生するのを抑え、低い帯域においてもオーディオ信号の音圧が低下するのをより効果的に防ぐことができる。また、電磁変換器１０をスピーカ筐体等に取り付けることにより音響装置を構成した場合においても、さらに効果的に音圧の低下を防ぐことができ、電磁変換器本来の音圧レベルを保つことができる。
【００１７】
実施の形態１では、第一のシーリング材４０ａおよび第二のシーリング材４０ｂとして、いずれもテープ状の発泡樹脂材を用いる例を示したが、両面テープの無い発泡樹脂材を用いても、両面テープの代わりに工業用接着剤を塗布することにより、同様の機能を有するシーリング材とすることができる。また、材料は発泡樹脂材に限ることはなく、例えばシリコーンゴムでも良い。シリコーンゴムは液体状で、細かな隙間においても容易に気密することが可能であるという利点がある。その他、第一および第二のシーリング材としての機能を満足し、同様の効果を奏するものであれば、これらの材料に限定されることはない。
【図面の簡単な説明】
【００１８】
【図１】実施の形態１の電磁変換器の構成を示す分解斜視図である。
【図２】実施の形態１の電磁変換器の構成を示す断面図である。
【符号の説明】
【００１９】
１０  電磁変換器、１１  下側永久磁石板、１３  緩衝部材、１５  振動板、１５ａ  樹脂フィルム、１５ｂ  蛇行形状の導体パターンからなるコイル、１７  上側永久磁石板、１７ａ  音放射穴、２０  構造体、３０  フレーム、３１  背面フレーム、３３  前面フレーム、３３ａ  音放射穴、３５  入力端子、３５ａ  入力端子板、３５ｂ  カシメ部、３５ｃ  補助具、３５ｄ  突出した一端、３５ｅ  突出しない一端、４０ａ  第一のシーリング材、４０ｂ  第二のシーリング材、ｎｚ  ニュートラルゾーン、Ａ  背面フレームと入力端子との境目。
【図１】
2006352573.tif 000003
【図２】
2006352573.tif 000004